(57)【要約】【課題】介護処理時に要する負担を軽減できる、介護用ベッド及び介護用ベッドの動作方法を提供する。【解決手段】要介護者が横たわる、ベッド板と、前記ベッド板を昇降自在に支持する、支持機構と、介護処理時に、前記ベッド板と前記要介護者に挿入され、前記要介護者を保持する、挿入部材とを具備する。通常時に、前記ベッド板は、前記支持機構により、前記第１位置に支持される。介護処理時には、前記挿入部材により前記要介護者が保持された状態で、前記支持機構により前記ベッド板が前記第１位置よりも下方の第２位置にまで降ろされる。【選択図】図１
2010273855.tif 000002
【特許請求の範囲】
【請求項１】
要介護者が横たわる、ベッド板と、
前記ベッド板を昇降自在に支持する、支持機構と、
介護処理時に、前記ベッド板と前記要介護者に挿入され、前記要介護者を保持する、挿入部材と、
を具備し、
通常時に、前記ベッド板は、前記支持機構により、前記第１位置に支持され、
介護処理時には、前記挿入部材により前記要介護者が保持された状態で、前記支持機構により前記ベッド板が前記第１位置よりも下方の第２位置にまで降ろされる
介護用ベッド。
【請求項２】
請求項１に記載された介護用ベッドであって、
更に、
前記ベッド板を取り囲むように配置された、フレーム部材
を具備し、
前記挿入部材は、介護処理時に前記要介護者と前記ベッド板との間に挿入される背板を備えており、
前記フレーム部材には、介護処理時に前記背板を支持する、背板支持機構が形成されている
介護用ベッド。
【請求項３】
請求項２に記載された介護用ベッドであって、
前記フレーム部材には、シート部材を支持するためのシート部材支持機構が設けられ、
前記シート部材は、介護処理時に、前記第２位置に位置する前記ベッド板と前記背板との間に形成される空間に配置され、
介護処理として前記要介護者にシャワーを浴びせたときに、前記シート部材が、前記要介護者の下方に流れた水を受け止める
介護用ベッド。
【請求項４】
請求項２又は３に記載された介護用ベッドであって、
前記背板は、介護処理時につい立てを支持する、つい立て支持機構を備えており、
介護処理として前記要介護者にシャワーを浴びせたときに、前記つい立てにより、水が散乱することが防止される
介護用ベッド。
【請求項５】
請求項２乃至４の何れかに記載された介護用ベッドであって、
前記要介護者が横たわる方向が第１方向と定義され、
水平面内で前記第１方向と直交する方向が第２方向と定義され、
前記背板支持機構は、前記フレーム部分において、前記第２方向に沿う両側に設けられ、
前記背板は、第２方向に沿って、前記要介護者と前記ベッド板との間に挿入される
介護用ベッド。
【請求項６】
請求項２乃至５の何れかに記載された介護用ベッドであって、
前記背板支持機構は、前記フレーム部分から鉛直上方に突き出したフック群を備え、
前記背板には、前記フック群に対応する位置に設けられ、前記フック群が挿入される、開口群を備えている
介護用ベッド。
【請求項７】
請求項１に記載された介護用ベッドであって、
更に、
前記フレーム部材に対して独立に設けられた、ハンモックフレーム、
を具備し、
前記挿入部材は、網状シート部材により形成され、
前記ハンモックフレームは、前記網状シート部材を支持し、
前記ハンモックフレームには、前記ハンモックフレームを移動させる移動機構が取り付けられており、
介護処理時には、前記網状シート部材により前記要介護者が支持された状態で、前記昇降機構により前記ベッド板が前記第２位置にまで降ろされ、前記移動機構により前記ハンモックフレームが前記フレーム部材から離れた位置に移動させられる
介護用ベッド。
【請求項８】
通常時に、要介護者が横たわるベッド板を、第１位置に支持するステップと、
介護処理時に、前記ベッド板と前記要介護者との間に挿入部材を挿入し、前記要介護者を保持するステップと、
前記保持するステップの後に、前記ベッド板を、前記第１位置よりも下方の第２位置にまで降ろすステップと、
を具備する
介護用ベッドの動作方法。
【発明の詳細な説明】
【技術分野】
【０００１】
本発明は、介護用ベッド及び介護用ベッドの動作方法に関する。
【背景技術】
【０００２】
要介護者のために、介護用ベッドが用いられる。自力で入浴や排便などを行うことが困難な要介護者に対しては、介護者による補助が必要である。例えば入浴を行う場合、介護者は、要介護者を介護用ベッドから浴槽まで移動させる必要がある。そして、介護者は、入浴終了後に、要介護者を再びベッドまで移動させる必要がある。このように要介護者を介護用ベッドから別の場所に移動させることは、介護者にとって大きな負担である。
【０００３】
関連技術として、特許文献１（特開２００７−１１７５２２）には、介護者の労力を軽減させることを目的とした介護用ベッドシステムが記載されている。特許文献１の介護用ベッドシステムは、昇降自在な本ベッドと、その本ベッドの天井側に在ってその本ベッドと天井外の他所とを移動自在に設けられた移動体と、必要に応じて、移動体に着脱自在に係止される懸架手段とを備える。その懸架手段は、本ベッドの長手方向に寝る要介護者に対して身体の複数の所要部位の本ベッドとの間に本ベッドの幅方向に抜き差し自在に差し込まれる受板と、その受板の両端を各々係脱自在に移動体から吊り支える吊り部材とを備える。この介護用ベッドシステムでは、本ベッドを降下させることにより、要介護者が懸架手段の複数の受板で支持される。そして、要介護者は、移動体を介して本ベッドから他所へ移動可能である。
【先行技術文献】
【特許文献】
【０００４】
【特許文献１】特開２００７−１１７５２２号公報
【発明の概要】
【発明が解決しようとする課題】
【０００５】
本発明の目的は、介護処理に要する負担を軽減できる、介護用ベッド及び介護用ベッドの動作方法を提供することにある。
【課題を解決するための手段】
【０００６】
以下に、発明を実施するための形態で使用される番号・符号を用いて、課題を解決するための手段を説明する。これらの番号・符号は、特許請求の範囲の記載と発明を実施するための形態との対応関係を明らかにするために括弧付きで付加されたものである。ただし、それらの番号・符号を、特許請求の範囲に記載されている発明の技術的範囲の解釈に用いてはならない。
【０００７】
本発明に係る介護用ベッドは、要介護者（６）が横たわる、ベッド板（１４）と、ベッド板（１４）を昇降自在に支持する、支持機構（４）と、介護処理時に、前記ベッド板と前記要介護者に挿入され、前記要介護者を保持する、挿入部材とを具備する。通常時に、ベッド板（１４）は、支持機構（４）により、第１位置に支持される。介護処理時には、挿入部材により要介護者（６）が保持された状態で、支持機構（４）によりベッド板（１４）が第１位置よりも下方の第２位置にまで降ろされる。
【０００８】
この発明によれば、介護処理時に、挿入部材によって要介護者が支持される。そして、挿入部材によって要介護者が支持された状態で、ベッド板（１４）が下方に降ろされる。この結果、要介護者を、おのずと挿入部材によって支持することができる。少ない負担で要介護者を支持することができるので、介護処理に要する負担を軽くすることができる。
【０００９】
本発明に係る介護用ベッドの動作方法は、通常時に、要介護者が横たわるベッド板を、第１位置に支持するステップと、介護処理時に、前記ベッド板と前記要介護者との間に挿入部材を挿入し、前記要介護者を保持するステップと、前記保持するステップの後に、前記ベッド板を、前記第１位置よりも下方の第２位置にまで降ろすステップとを具備する。
【発明の効果】
【００１０】
本発明によれば、介護処理に要する負担を軽減できる、介護用ベッド及び介護用ベッドの動作方法が提供される。
【図面の簡単な説明】
【００１１】
【図１】第１の実施形態に係る介護用ベッドの通常時における構成を示す側面図である。
【図２】通常時の介護用ベッドを図１に示されるＡ方向から見たときの側面図である。
【図３】第１の実施形態に係る介護用ベッドの介護処理時における動作方法を説明するための図である。
【図４】背板の平面図である。
【図５】第１の実施形態に係る介護用ベッドの介護処理時における動作方法を説明するための図である。
【図６】第１の実施形態に係る介護用ベッドの介護処理時における動作方法を説明するための図である。
【図７】第１の実施形態に係る介護用ベッドの介護処理時における動作方法を説明するための図である。
【図８】第１の実施形態の変形例に係る介護用ベッドを示す側面図である。
【図９】第１の実施形態の変形例に係る介護用ベッドを示す側面図である。
【図１０】第２の実施形態に係る介護用ベッドを示す側面図である。
【図１１】第２の実施形態に係る介護用ベッドを示す側面図である。
【図１２】第２の実施形態に係る介護用ベッドを示す上面図である。
【発明を実施するための形態】
【００１２】
以下、図面を参照しつつ、本発明の実施形態について説明する。
【００１３】
（第１の実施形態）
図１は、本発明の第１の実施形態に係る介護用ベッドの通常時における構成を示す側面図である。また、図２は、図１に示される介護用ベッドを、図１に示されるＡ方向から見たときの側面図である。
【００１４】
図１及び図２に示されるように、介護用ベッドは、フレーム部材３と、ベッド板１４と、支持機構４とを備えている。
【００１５】
ベッド板１４は、要介護者が横たわるマット部材５を載置するために設けられている。図１に示されるように、要介護者６が横たわる方向が、第１方向と定義されている。また、図２に示されるように、第１方向と水平面内で直交する方向が、第２方向と定義されている。
【００１６】
支持機構４は、ベッド板１４を昇降可能に支持している。支持機構４は、ベッド板１４の四隅に連結された４本の支持ロッド４３を備えている。各支持ロッド４３は、連結軸部材４１を介してベッド板１４に回動可能に連結されている。また、各支持ロッド４３は、車輪４２を介して、床面上に配置されている。各支持ロッド４３が連結軸部材４１の軸周りに回動することにより、ベッド板１４の位置（高さ）を変えることができる。通常時には、ベッド板１４は、図１及び図２に示されるように、床面よりも上方の位置（以下、第１位置と称す）で支持される。
【００１７】
フレーム部材３は、枠状のフレーム部分１と、４本の脚部２とを備えている。フレーム部分１は、マット部材５を水平方向で取り囲むように配置されている。フレーム部分１により、マット部材５が水平方向にずれることが防止される。一方、４本の脚部２は、フレーム部分１の四隅に連結されており、フレーム部分１を支持している。
【００１８】
フレーム部分１の第２方向における両側には、フック群７が形成されている。フック群７は、フレーム部分１から、鉛直上方に向かって突き出ている。フック群７は、背板（後述）を支持するために設けられている。
【００１９】
更に、フレーム部分１には、シート部材支持機構１１が形成されている。シート部材支持機構１１は、シート部材（後述）を支持するために設けられている。シート部材支持機構１１は、例えば、突起により形成される。
【００２０】
続いて、本実施形態に係る介護用ベッドの介護処理時における動作方法について説明する。本実施形態では、介護処理として、要介護者にシャワーを浴びせる処理を行うものとする。
【００２１】
まず、図３に示されるように、マット部材５と要介護者６との間に、挿入部材として、複数（本実施形態では５枚）の背板８（挿入部材）を挿入する。図４は、各背板８の平面図である。各背板８は、要介護者６を一時的に支持するために用いられる。背板８は、矩形状であり、平板状である。背板８の長手方向の長さは、フレーム部分１の第２方向における長さに対応している。背板８の長手方向における両端部には、フック群７と対応して、フック用の開口群８１が形成されている。また、背板８には、後述するつい立てを支持するための、つい立て用開口８２が形成されている。背板８としては、例えば、厚みが３ｍｍ〜５ｍｍ程度の樹脂シート材を用いることができる。その樹脂シート材としては、例えば、ポリプロプレン及びポリエチレン、などが挙げられる。
【００２２】
背板８を挿入した後、背板８のフック用開口群８１をフレーム部分１のフック群７にはめ込む。これにより、背板８がフレーム部分１により支持される。その結果、要介護者６が、一時的に背板８によって支持される。この際、背板８にネットや布などが巻きつけられていてもよい。
【００２３】
次いで、図５に示されるように、つい立て９を、つい立て用開口８２に嵌めこむ。つい立て９は、シャワー時の水が周囲に散乱することを防止するために設けられる。つい立て９は、要介護者６の第２方向における両側において、背板８から鉛直上方に延びるように、配置される。
【００２４】
次いで、図６及び図７に示されるように、支持機構４により、ベッド板１４を床面まで降ろす。降下後のベッド板１４の位置が、第２位置と定義される。このとき、要介護者６が背板８により支持されているため、ベッド板１４及びマット部材５だけが降下する。その結果、マット部材５と背板８（要介護者６）との間には、空間が形成される。
【００２５】
その後、マット部材５と背板８との間に形成された空間に、シート部材１０（例えばビニールシート）を配置する。シート部材１０は、シャワー時の水を受け止めるために配置される。従って、シート部材１０としては、水が透過しないような材料が用いられる。シャワー時の水が散乱しないように、シート部材１０の周縁部は、鉛直上方に折り曲げられている。シート部材１０は、周縁部において、フレーム部分１に設けられたシート部材支持機構１１により支持される。また、図７に示されるように、シート部材１０の底部分には、シャワー時に受け止めた水を排水するための排水機構１２が接続される。加えて、シート部材１０は、底面が傾斜するように取り付けられる。シート部材１０において、シャワー時に受け止められた水は、底面の傾斜により、排水機構１２との接続部分に導かれる。
【００２６】
シート部材１０を取り付けた後、介護者は、要介護者６に対してシャワーを浴びせる。この際、つい立て９により、水が周囲に散乱することが防止される。また、シャワーによる水は、背板８の下部に位置するシート部材１０によって受け止められ、排水機構１２により排水される。
【００２７】
シャワーの終了後には、上述の動作とは逆の動作により、介護用ベッドの状態が通常時の状態に戻される。
【００２８】
以上説明したように、本実施形態によれば、背板８によって要介護者６を一時的に支持した状態で、シャワーなどの介護処理を行うことができる。要介護者６を移動させる必要がないので、介護処理に要する負担を軽減することができる。また、要介護者６を持ち上げたり、移動させたりする必要がないため、介護者が一人であっても、簡単に介護処理を進めることができる。
【００２９】
また、本実施形態では、介護処理として、シャワーを行う場合について説明した。但し、介護処理としては、シャワーに限定されるものではない。例えば、マット部材５を第２位置に降ろした状態で、マット部材５に取り付けられたシーツを交換したり、マット部材５を干したりすることができる。このような処理も、要介護者６を移動させる必要がないため、容易に行うことができる。また、マット部材５と背板８との間に生じる空間を利用することで、要介護者６の排便処理なども、簡単に行うことができる。
【００３０】
続いて、本実施形態の変形例について説明する。
【００３１】
図８は、本実施形態の変形例に係る介護用ベッドを示す側面図である。また、図９は、図８に示される介護用ベッドをＡ方向から見たときの図である。フレーム部分１にフック群７が取り付けられていると、介護処理時に邪魔になる可能性がある。そのため、図８及び図９に示されるように、フック群７を被覆するカバー部材１３が追加されている。カバー部材１３は、フレーム部分１に対して着脱自在であり、背板８の挿入時にだけ外される。それ以外のときには、カバー部材１３によりフック群７が被覆される。このようなカバー部材１３を取り付けることにより、フック群７が邪魔になることはない。
【００３２】
（第２の実施形態）
続いて、本発明の第２の実施形態について説明する。本実施形態では、挿入部材として、網状のシート部材であるハンモック２４が用いられる。また、ハンモック２４を支持するためのハンモックフレーム２０が追加される。更に、昇降機構の構成が工夫されている。これらの点において第１の実施形態から大きく変更されている。以下に、本実施形態に係る介護用ベッドを詳細に説明する。尚、第１の実施形態と同様の箇所については、説明が省略される。
【００３３】
図１０は、本実施形態に係る介護用ベッドの通常時の状態を示す側面図である。図１０に示されるように、第１方向に沿う一方の側が前方と定義され、他方の側が後方と定義されている。図１１は、図１０に示される介護用ベッドを、前方側から見たときの図である。また、図１２は、介護用ベッドを上方から見たときの図である。
【００３４】
図１０に示されるように、マット部材５はベッド板１４上に載せられている。
【００３５】
ベッド板１４は、４本の支持ロッド４３により支持されている。４本の支持ロッド４３は、リンク部材２５を介して、互いに連結されている。
【００３６】
各支持ロッド４３とベッド板１４との連結部分には、連結軸部材４１が設けられている。各支持ロッド４３は、連結軸部材４１の軸周りに回動可能である。また、各支持ロッド４３は、車輪４２を介して、床面上に配置されている。
【００３７】
更に、各支持ロッド４３には、スプリング部材１６が連結されている。スプリング部材１６は、一端で各支持ロッド４３の途中に連結され、他端でベッド板１４に連結されている。スプリング部材１６は、各支持ロッド４３の回動運動を弾性的に制限する。
【００３８】
更に、４本の支持ロッド４３のうちの一本には、ネジ部材１８が連結されている。ネジ部材１８は、ハンドルロッド１７に螺合されている。ハンドルロッド１７の一端には、ハンドル２７が取り付けられている。ハンドル２７を回すことにより、ハンドルロッド１７におけるネジ部材１８の位置が変化する。これにより、ネジ部材１８が連結された支持ロッド４３が、連結軸部材４１の軸周りに回動する。このとき、４本の支持ロッド４３は互いに連結されているため、全ての支持ロッド４３が、回動する。その結果、ベッド板１４を第１位置から第２位置にまで下げることが可能である。尚、ベッド板１４を上昇させる場合には、ハンドル２７を逆に回せばよい。
【００３９】
また、図１０及び図１１に示されるように、ベッド板１４は、その四隅で、上下ローラ１９に連結されている。上下ローラ１９は、フレーム部材３の脚部分２を上下に移動可能である。これにより、ベッド板１４は、脚部分２に沿って、上下に移動可能である。
【００４０】
以上のような構成により、ベッド板１４は、第１の実施形態と同様に、昇降自在に構成されている。
【００４１】
ここで、本実施形態に係る介護用ベッドには、ハンモック２４を支持するためのハンモックフレーム２０が更に追加されている。ハンモックフレーム２０は、フレーム部材３とは独立に設けられる。以下に、ハンモックフレーム２０について詳述する。
【００４２】
図１２に示されるように、ハンモックフレーム２０は、前方部２８と、後方部３０と、連結部２９とを備えている。前方部２８は、フレーム部材３の前方に位置し、第２方向に沿って伸びている。後方部３０は、フレーム部材３の後方に位置し、第２方向に沿って伸びている。連結部２９は、第１方向に沿って伸びており、前方部２８と後方部２９とを連結している。
【００４３】
前方部２８と後方部３０のそれぞれには、ハンモック支持ロッド２２を介して、ハンモック取り付けロッド２３が連結されている。
【００４４】
二つのハンモック取り付けロッド２３の間には、ハンモック２４（網状シート部材）が取り付けられている。ハンモック２４は、各ハンモック取り付けロッド２３に常に取り付けられていてもよいし、各ハンモック取り付けロッド２３に着脱自在に取り付けられていてもよい。
【００４５】
図１０及び図１１に示されるように、ハンモックフレーム２０の下端部には、移動機構として、車輪２１が取り付けられている。車輪２１により、ハンモックフレーム２０を、フレーム部材３とは別の場所に移動させることが可能である。
【００４６】
続いて、本実施形態に係る介護用ベッドの動作方法について説明する。
【００４７】
介護処理時には、要介護者６とマット部材５との間に、ハンモック２４が挿入される。これにより、要介護者６は、ハンモック２４により一時的に支持される。
【００４８】
続いて、ハンドル２７を回して、ベッド板１４を床面まで下げる。すなわち、ベッド板１４を第１位置から第２位置にまで下げる。このとき、マット部材５もベッド板１４と共に降下する。一方、要介護者６は、ハンモック２４によって支持されているため、マット部材５からは浮かされる。
【００４９】
その後、ハンモックフレーム２０を、第２方向に沿って移動させる。車輪２１が設けられているため、介護者は、ハンモックフレーム２０を簡単に移動させることができる。ここで、フレーム部材３とは別の場所に、浴槽（図示せず）を用意しておく。ハンモックフレーム２０を、要介護者６がその浴槽の上に位置するように、移動させる。そして、浴槽を上昇させるか、又はハンモック２４を下ろすことにより、要介護者６を浴槽内に移動させる。この状態で、要介護者のシャワー処理や入浴処理を行うことができる。
【００５０】
以上説明したように、本実施形態では、ハンモック２４が挿入された後にベッド板１４が降ろされる。これにより、要介護者６を自ずとハンモック２４により支持する（吊り下げる）ことができる。また、ハンモックフレーム２０により、ハンモック２４に支持された要介護者６を、簡単に別の場所にまで移動させることができる。加えて、第１の実施形態のように、複数の背板８を用いる場合と比較して、ハンモック２４は簡単に要介護者６とマット部材５との間に挿入できる。これにより、より簡単に介護処理を行うことができる。
【００５１】
尚、本実施形態は、第１の実施形態に対して独立するものではない。必要に応じて、第１の実施形態と第２の実施形態とを組み合わせて用いることもできる。例えば、第２の実施形態において、ハンモックフレーム２０を移動させずに、ハンモック２４とマット部材５との間に生じた空間にシート部材１０を配置してもよい。そして、ハンモックフレーム２０を移動させずに、マット部材５の上方で要介護者６にシャワーを浴びせてもよい。このような形態であっても、介護処理に要する負担を軽減することが可能である。
【符号の説明】
【００５２】
１  フレーム部分
２  脚部分
３  フレーム部材
４  支持機構
４１  連結軸部材
４２  車輪
４３  支持ロッド
５  マット部材
６  要介護者
７  フック
８  背板
８１  開口（フック用）
８２  つい立て用開口
９  つい立て
１０  シート部材
１１  シート部材支持機構
１２  排水機構
１３  カバー部材
１４  ベッド板
１６  スプリング部材
１７  ハンドルロッド
１８  昇降ネジ
１９  上下ローラー
２０  ハンモックフレーム
２１  車輪
２２  ハンモック支持ロッド
２３  ハンモック取り付けロッド
２４  ハンモック
２５  リンク部材
２７  ハンドル
２８  前方部
２９  連結部
３０  後方部
【図１】
2010273855.tif 000003
【図２】
2010273855.tif 000004
【図３】
2010273855.tif 000005
【図４】
2010273855.tif 000006
【図５】
2010273855.tif 000007
【図６】
2010273855.tif 000008
【図７】
2010273855.tif 000009
【図８】
2010273855.tif 000010
【図９】
2010273855.tif 000011
【図１０】
2010273855.tif 000012
【図１１】
2010273855.tif 000013
【図１２】
2010273855.tif 000014